Podtech/llm-jp-corpus-v4-ja_patent huggingface dataset:
(57)【要約】【課題】燃料ポンプの新式のローラタペットと、ローラタペットのための新式のローラボルトと、新式の燃料ポンプとを提供する。【解決手段】カムシャフトのカムのための座面（１４）を提供する、ローラボルト（１１）に回転可能に軸受けされたローラ（１３）を有する、燃料ポンプのローラタペット（１０）であって、ローラボルト（１１）は軸受材料から作られている。【選択図】図１
2012097727.tif 000002
【特許請求の範囲】
【請求項１】
燃料ポンプのローラタペットであって、カムシャフトのカムのための座面を提供する、ローラボルトに回転可能に軸受けされたローラを有するローラタペットにおいて、
前記ローラボルト（１１）は軸受材料から作られていることを特徴とするローラタペット。
【請求項２】
前記ローラボルト（１１）は、軸受メタルから作られていることを特徴とする請求項１に記載のローラタペット。
【請求項３】
前記ローラボルト（１１）は、銅とアルミニウムの合金から作られていることを特徴とする請求項１に記載のローラタペット。
【請求項４】
燃料ポンプのローラタペットのためのローラボルトにおいて、
軸受材料、特に軸受メタルあるいは銅とアルミニウムの合金から作られていることを特徴とするローラボルト。
【請求項５】
ローラタペットを有する燃料ポンプであって、
前記ローラタペットは、カムシャフトのカムのための座面を提供する、ローラボルトに回転可能に軸受けされたローラを備える燃料ポンプにおいて、
前記ローラボルト（１１）は、軸受材料、特に軸受メタルあるいは銅とアルミニウムの合金から作られていることを特徴とする燃料ポンプ。
【請求項６】
コモンレール船舶用ディーゼル燃料供給設備の高圧燃料ポンプであることを特徴とする請求項５に記載の燃料ポンプ。
【発明の詳細な説明】
【技術分野】
【０００１】
本発明は、請求項１のおいて書きに記載の、燃料噴射ポンプあるいは燃料高圧ポンプのローラタペットに関する。さらに本発明は、請求項４のおいて書きに記載の、燃料ポンプのローラタペットのためのローラボルトと、請求項５のおいて書きに記載の燃料ポンプとに関する。
【背景技術】
【０００２】
燃料ポンプの基本的な構造は、たとえば特許文献１の従来技術から知られている。この従来技術は、ローラボルトと当該ローラボルトに軸受けされたローラとを備えたローラタペットを有する燃料ポンプを開示し、ローラはカムシャフトのカムのための座面を形成する。カムシャフトから、燃料ポンプは、ローラタペットを介して操作され得る。
【０００３】
ローラボルトと当該ローラボルトに軸受けされたローラとを備えたローラタペットを有するさらなる燃料ポンプは、特許文献２の従来技術から知られている。ここで開示されているローラタペットのローラも、カムシャフトのカムのための座面を形成する。
【０００４】
従来技術から知られる燃料ポンプもしくは燃料ポンプのためのローラタペットでは、ローラが軸受けされているローラボルトは、鋼から作られている。このような鋼製ローラボルトの耐久年数を上げるために、当該鋼製ローラボルトは焼入れされ場合によってはコーティングされている。付加的に、場合によっては、鋼製ローラボルトのための軸受ブッシュが用いられる。このような鋼製ローラボルトは、製造技術上および構造上コストがかかる。
【０００５】
それゆえ、構造上と製造技術上、よりコストのかからない、ローラタペットと、ローラタペットのためのローラボルトと、燃料ポンプとが必要である。
【先行技術文献】
【特許文献】
【０００６】
【特許文献１】独国特許第１１００３８０号明細書
【特許文献２】独国特許出願公開第１０２００６０５２４８４号明細書
【発明の概要】
【発明が解決しようとする課題】
【０００７】
以上より、本発明の課題は、燃料ポンプの新式のローラタペットと、ローラタペットのための新式のローラボルトと、新式の燃料ポンプとを提供することである。
【課題を解決するための手段】
【０００８】
この課題は、請求項１に記載の、燃料ポンプのローラタペットによって解決される。本発明に従えば、ローラボルトは、軸受材料から作られている。本発明に従ってローラボルトが軸受材料から作られていれば、ローラボルトの焼入れもコーティングも必要ない。さらに、従来技術では必要な軸受ブッシュがなくてもよい。これによって、構造上と製造技術上、よりコストのかからない、ローラボルトとひいてはローラタペットと燃料ポンプとが実現可能である。
【０００９】
本発明に係るローラボルトは請求項４において定義され、本発明に係る燃料ポンプは請求項５において定義されている。
【００１０】
本発明の好ましいさらなる形態は、従属請求項と以下の記述とからもたらされる。本発明の実施例は、図に基づいてより詳細に説明されるが、それに限定されることはない。図で示されるのは以下である。
【図面の簡単な説明】
【００１１】
【図１】燃料ポンプのローラタペットの概略断面図である。
【発明を実施するための形態】
【００１２】
図１は燃料ポンプのローラタペット１０の断面図を示しており、図１のローラタペット１０はコモンレール船舶用ディーゼル燃料供給設備の高圧燃料ポンプのローラタペットである。ローラタペット１０はローラボルト１１を備えており、当該ローラボルト１１は、示されている図１の実施例においてボルトあるいは虫ネジ１２を介してローラタペット１０と回転不能に接続されている。ローラボルト１１にはローラ１３が回転可能に軸受けされており、ローラ１３は、図示されていないカムシャフトの図示されていないカムのための座面１４を提供する。燃料ポンプのローラタペットのこの基本的な構造は、ここで呼びかけられる当業者にはよく知られている。
【００１３】
本発明に従えば、ローラボルト１１は軸受材料から作られている。これによって、軸受ボルト１１を充分に摩耗しにくくするために、当該軸受ボルト１１の焼入れもコーティングも必要ない。
【００１４】
好適には、ローラボルト１１は軸受メタルあるいは銅とアルミニウムの合金から作られている。
【００１５】
ローラボルト１１に軸受けされたローラ１３に注油するために、ローラタペット１０には、潤滑油用の孔１５が付けられており、その結果潤滑油をローラ１３に供給することができ、ローラ１３とローラボルト１１との間に、潤滑油膜が形成され得る。
【００１６】
さらに本発明は、燃料ポンプのローラタペットのためのそのようなローラボルト１１と、そのようなローラボルト１１を備えるローラタペット１０を有する燃料ポンプとに関し、燃料ポンプは好適には、コモンレール船舶用ディーゼル内燃機関の高圧燃料ポンプとして実施されている。
【符号の説明】
【００１７】
１０  ローラタペット
１１  ローラボルト
１２  ボルトあるいは虫ネジ
１３  ローラ
１４  座面
１５  孔
【図１】
2012097727.tif 000003
(57)【要約】【課題】洗顔等の場合、うでにつけ、手よりつたわってくる余分な水分等を防ぐために提供する【解決手段】水等を吸水材（２）にしみこませ、かためるうでわを提供する【選択図】図２
2012097394.tif 000002
【特許請求の範囲】
【請求項１】
吸水材（２）を使用しすばやく余分な水等を吸収できる使い捨ての吸水用うでわ
【発明の詳細な説明】
【技術分野】
【０００１】この発明は、吸水材を使用し、伸縮性のあるうでわに関するものである
【背景技術】
【０００２】これまでに吸水材を使用した商品は多いがうでわはない
【先行技術文献】
【０００３】
【特許文献１】
【非特許文献１】
【発明の概要】
【発明が解決しようとする課題】
【０００４】洗顔等の際、手についた水等がうでを伝わり、着衣や床等をぬらす場合も多く、それを防ぐことを目的とする
【課題を解決する手段】
【０００５】吸水材を使用したものを輪にし、一部にギャザーをもうける
【発明の効果】
【０００６】吸水材部分に水等がしみこみ固形化し、下への流れをストップさせる
【図面の簡単な説明】
【０００７】
【図１】本発明の斜視図である
【図２】本発明の断面図である
【発明を実施するための形態】
【０００８】以下、本発明を実施するための形態について説明する。
吸水材（２）の表面は、防水性のある材料（１）を使用し、内面は肌ざわりの良い材料（３）を使用し、棒状のものを輪にし、うでにはめやすいように一部にギャザー（４）をいれた構造である。これを使用するときは、洗顔等の前に両手首にこれをはめ行えば、水等はこのうでわの吸水材の部分に吸収され、うでをつたわることなく、余分な手間がはぶける。
【符号の説明】
【０００９】１．防水材のシート
２．吸水材
３．肌ざわりのよいシート
４．ギャザー
【図１】
2012097394.tif 000003
【図２】
2012097394.tif 000004
(57)【要約】【課題】５本指靴下の靴下本体長手方向と直角に、土踏まず部分より足指のつけ根に掛けて切取り、土踏まず部分から踵、脹脛まで無くすことは不可能だった。  本発明は、切取ることを可能にし、靴下の脱着を極めて短時間にし、足指のつけ根まで確実にフィットさせる、靴を脱いだ時、５本指靴下を気にする人でもこの靴下の上に通常の靴下を履くことができる５本指靴下を提供する。【解決の手段】５本指靴下の靴下本体長手方向と直角に切り裂き開口部を形成し、その開口部の両サイドに、ズレ防止のゴムバンドを取付ける、ゴムバンドの引っ張り強さが切り裂き開口部に、均等に掛かるように、切り裂き開口部を靴下本体長手方向に対し湾曲形にした。以上の構成よりなる５本指靴下。【選択図】図３
2012097393.tif 000002
【特許請求の範囲】
【請求項１】
５本指靴下の靴下本体長手方向に対し、湾曲形で垂直に切り裂き開口部を形成し、その開口部の両サイドにズレ防止のゴムバンドを装着した５本指靴下。
【請求項２】
５本指靴下の靴下本体長手方向に対し、湾曲形で垂直に切り裂き開口部を形成した５本指靴下。
【発明の詳細な説明】
【技術分野】
【０００１】  本発明は、従来の５本指靴下を、土踏まず部分から踵、脹脛までの間を無くしたものである。
【背景技術】
【０００２】  従来、５本指靴下は足指袋から脹脛まで一体型のと、先端足指袋部分を開放された靴下が知られている。
【先行技術文献】
【０００３】
【特許文献１】  特開２００１−１２３３０１号公報
【特許文献２】  特開２００４−４４０４８号公報
【特許文献３】  特開２００６−１４４２０３号公報
【特許文献４】  特開２００６−２７４４５９号公報
【発明の概要】
【発明が解決しようとする課題】
【０００４】  従来の５本指靴下を、靴下本体長手方向と直角に、土踏まず部分より足指のつけ根に掛けて切り裂き、士踏まずから脹脛まで切り取って無くしてしまうと切り裂き開口部が、足指方向へズレてしまう。ズレ防止の為、切り裂き開口部をゴム等で防止した場合、ゴムの締付け加減によっては、足に違和感を感じたり、ズレたり、弛みを生ずる。
本発明は、以上の問題点を解決する為になされた物である。
【課題を解決するための手段】
【０００５】  ５本指靴下の靴下本体長手方向と直角に切り裂き開口部を形成し、その開口部の両サイドに、ズレ防止のゴムバンドを取付ける、ゴムバンドの引っ張り強さが切り裂き開口部に、均等に掛かるように、切り裂き開口部を靴下本体長手方向に対し湾曲形にした。
以上の構成よりなる５本指靴下。
【発明の効果】
【０００６】  従来不可能とされていた５本指靴下の土踏まず部分より脹脛まで切取ることも、本発明により可能にし、靴下の脱着も極めて短時間で容易にでき、足指のつけ根まで指袋を確実にフィットさせることができる。
本発明は、靴を脱いだ時、５本指靴下を気にする人でもカットした５本指靴下の上に通常の靴下を履くことができ、通常の靴下にも利用することができる。
【図面の簡単な説明】
【０００７】
【図１】  本発明の平面図
【図２】  本発明の側面図
【図３】  本発明の斜視図
【発明を実施するための形態】
【０００８】以下、本発明の実施の形態を説明する。
（イ）５本指靴下のつま先部足指袋（１）の５本指靴下本体（２）の靴下本体長手方向に対し湾曲形で垂直な切り裂き開口部（３）のズレ防止ゴムバンド（４）を設ける。
（ロ）５本指靴下本体（２）の靴下本体長手方向に対し湾曲形で垂直な切り裂き開口部（３）の両サイド（５）部分にズレ防止ゴムバンド（４）の端部を接続する。
本発明は以上のような構造である。
本発明を使用する時は、ゴムバンド（４）が足裏側になるようにして、靴下本体内部（６）へ足指先を挿入する。足指部挿入完了後、ゴムバンド後部を踵上部に掛ける。
【符号の説明】
【０００９】１  足指袋、２  ５本指靴下本体、３  靴下本体長手方向に対し湾曲形で垂直な切り裂き開口部、４  ゴムバンド、５  靴下本体とゴムバンド接続部、６  靴下本体内側
【図１】
2012097393.tif 000003
【図２】
2012097393.tif 000004
【図３】
2012097393.tif 000005
(57)【要約】      （修正有）【課題】スコップに立足を取り付ける事により、テコの原理と成り楽に作業が出来るスコップを提供する。【解決手段】立足１２を、現在使用されている一般スコップ本体１１に抱き合わせ挟む様に取付ける。立足１２を現在のスコップ本体１１に差込み、スジカイ１８を１７にて止めるのみで完成である。立足１２は現在のスコップ本体１１の中央に取り付けるが、取手を利用しテコの原理として、物体を水平の位置まで楽に上がる。又、立足１２は個人の使い良い位置に取り付ける。老人、女性が従来のスコップに簡単に取り付け出来る構造物である。【選択図】図１
2012097548.tif 000002
【特許請求の範囲】
【請求項１】
現在のスコップ本体軸棒中間に、立足型を取付け固定する。取付立足型上部は、取手と成る様に工夫する。スコップ使用の時には、立足型が、テコの原理と成り使用物を水平まで上げる。その時に取手を利用し役目を果たす。テコの原理を利用した現在スコップに取付ける事を、特徴としたスコップ立足装備。
【発明の詳細な説明】
【発明の詳細なる説明】
【技術分野】
【０００１】  本発明は、スコップ。特に除雪用スコップ本体中央軸棒に、立足棒をボルトネジにて止める構造に関する作品は、金属、木製、プラスチックでも良い。
【背景技術】
【０００２】  現在のスコップは、様々な使用勝手、型と有り作業に問題はなく提案されている。
【発明が解決しようとする課題】
【０００３】  一般スコップは、様々な構造物が提案されているが、完成式いずれにあっても、次のような問題が有り、未だ改良の余地を残している。
【０００４】  雪国の冬は、毎日雪との戦いです。除雪は老人、女性が多くの仕事し腰を痛める事が多い。そのため足、腰を痛めず除雪が出来る構造物が要求される。
【課題を解決するための手段】
【０００５】  前記目的を達成して、課題を解決するため本発明に係わる、除雪スコップ構造は、老人、女性、子供にも簡単に取り外しが出来る、構造物である。
【作用】
【０００６】  本発明は従来のスコップ又除雪用スコップに取付ける物である。従来のスコップ本体軸棒に足と成る構造物を、スコップ本体中央に取付ける。下部は木製などで滑り止めとし、上部は取っ手と成るよう工夫し、固定する事を目的とする。
【実施例】
【０００７】  以上、添付図面に基づいて本発明の実施例を説明する。図１〜４は、本発明に係わる除雪用スコップの一例を示すものである。同図に示すように従来の除雪スコップに、簡単に自分個人が取り付け、はずしが出来る様発明立案した物である。従来のスコップ１１、軸棒に足型立て１２を抱き合わせボルト１４にて止める。足立て１２は、Ｌ型金属の為、動くことは少ない。【０００８】  本体１１に、別本体１２を取り付け又収納の時、押したり引いたりするのみであるが、作業中安定するため  スジカイ１８を取り付ける、１７は本体１１に巻き付けチヨネジ止めとする。収納時は、同様老人女性でも楽しく作業が出来る様、構造と成っている。又、使用後はそのまま収納しても良い。
【発明の効果】
【０００９】  以上説明したように、本発明は北国の冬は雪が降る。又、地域にては毎日の様に降るため除雪に追われる、そんな時に楽に作業が出来るため、従来のスコップに立足を取り付ける。立足は、テコの原理を果し雪を水平まで楽に上がる。そこで上部の取っ手により又楽しく捨てる事が出来る。取り付け又収納の時は、スジカイナットと外し、足立を抜き取るだけ老人女性にでも出来る事と思われます。除雪は、老人、女性、子供たちが大人の仕事で北国の冬除雪に多くの人々が、足腰を痛める事無く楽しく楽に作業が出来る事と思われます。
【図面の簡単な説明】
【００１０】
【図１】本発明に係わる除雪スコップの一例を示す斜視図である。
【図２】本発明に係わる除雪スコップの一例を示す横面図である。
【図３】本発明に係わる除雪スコップの一例を示す断面図である。
【図４】本発明に係わる除雪スコップの一例を示すＬ型止め断面図である。
【符号の説明】
【００１１】  １１．従来スコップ本体。  １２．立型足本体。  １３．取手。  １４．ボルトナット。  １５．足立下部。  １６．Ｌ型動止め整型。  １７．巻付金具。  １８．スジカイ。
【図１】
2012097548.tif 000003
【図２】
2012097548.tif 000004
【図３】
2012097548.tif 000005
【図４】
2012097548.tif 000006
【図５】
2012097548.tif 000007
【手続補正書】
【提出日】平成23年1月14日(2011.1.14)
【手続補正３】
【補正対象書類名】明細書
【補正対象項目名】００１０
【補正方法】変更
【補正の内容】
【００１０】
【図１】本発明に係わる除雪スコップの一例を示す斜視図である。
【図２】本発明に係わる除雪スコップの一例を示す横面図である。
【図３】本発明に係わる除雪スコップの一例を示す断面図である。
【図４】本発明に係わる除雪スコップの一例を示すＬ型止め断面図である。
【図５】本発明に係わる除雪スコップの別の例（使用状態）を示す斜視図である。
(57)【要約】【課題】固定子の上部空間に滞留した冷凍機油を圧縮機構部に流すことにより、圧縮機構部の摺動部の異常磨耗を防ぎ、かつ密閉型圧縮機からの冷凍機油の吐出の急増を防ぐ。【解決手段】密閉容器１に固定子９の上部空間と下部空間をつなぐバイパス管１０を設けることにより、冷凍機油がバイパス管１０を通り固定子９の下部空間に流れることにより、圧縮機構部に冷凍機油が供給される。また固定子９の上部空間の冷凍機油の滞留を抑え、密閉型圧縮機からの冷凍機油の吐出の急増を防ぐことができる。【選択図】図１
2012097568.tif 000002
【特許請求の範囲】
【請求項１】
密閉容器内に固定子と回転子からなる電動機部およびこの電動機部と連結される圧縮機構部および冷凍機油を備え、前記圧縮機構部は円筒状のシリンダと、シリンダの両端面に圧縮室を構成する主軸受と副軸受と、前記圧縮室の内部で公転運動するピストンと、ピストンに公転運動を与える前記回転子と結合しているシャフトを構成要素に持つ密閉型圧縮機で、前記密閉容器に固定子の上部空間と下部空間をつなぐバイパス管を設けたことを特徴とする密閉型圧縮機。
【請求項２】
前記バイパス管は、固定子上部空間側の配置を固定子端面直近にすることを特徴とした、請求項１に記載の密閉型圧縮機。
【請求項３】
前記密閉型圧縮機は、前記密閉容器に前記バイパス管を複数本設けることを特徴とした、請求項１に記載の密閉型圧縮機。
【発明の詳細な説明】
【技術分野】
【０００１】
本発明は空気調和機の室外機等に設けられる密閉型圧縮機に関するものである。
【背景技術】
【０００２】
一般に、空気調和機や冷凍機等に用いられる圧縮機として、密閉型圧縮機が知られている。図２は従来の密閉型圧縮機を示すものである。図２に示すように、密閉容器１の中に固定子９と回転子８からなる電動機部およびこの電動機部と連結される圧縮機構部および冷凍機油２を備え、前記圧縮機構部は円筒状のシリンダ４と、シリンダ４の両端面に圧縮室を構成する主軸受３と副軸受５と、前記圧縮室の内部で公転運動するピストン７と、ピストン７に公転運動を与える回転子８と結合しているシャフト６から構成されている。また、密閉容器１にシリンダ４から吐出されたガスを案内するバイパス管１１を取り付けたものもある。（例えば特許文献１参照）。
【先行技術文献】
【特許文献】
【０００３】
【特許文献１】特開２００１−０１２３７２号公報
【発明の概要】
【発明が解決しようとする課題】
【０００４】
従来の構成の密閉型圧縮機においては、特にガスの流量が大きい運転条件において冷凍機油が固定子の上部空間に滞留し、冷凍機油が圧縮機構部に十分に供給されず摺動部の異常磨耗に至るという課題がある。また固定子の上部空間に滞留した冷凍機油がそのまま密閉型圧縮機から吐出するため、冷凍サイクルの能力低下につながるという課題もある。
【０００５】
本発明は、前記従来の課題を解決するもので、固定子の上部空間に滞留した冷凍機油を圧縮機構部に流すことにより、圧縮機構部の摺動部の異常磨耗を防ぎ、かつ密閉型圧縮機からの冷凍機油の吐出の急増を防ぐことを目的とする。
【課題を解決するための手段】
【０００６】
前記従来の課題を解決するために、本発明の密閉型圧縮機は、密閉容器に固定子の上部空間と下部空間をつなぐバイパス管を設けている。
【０００７】
これによって、固定子の上部空間に滞留した冷凍機油を、バイパス管を経て圧縮機構部に流すことができ、圧縮機構部へ冷凍機油が供給され、かつ固定子上部空間の冷凍機油の滞留を防ぐことができる。
【発明の効果】
【０００８】
以上のように本発明によれば、密閉型圧縮機において圧縮機構部の摺動部の異常磨耗を防ぎ、かつ密閉型圧縮機からの冷凍機油の吐出の急増を防ぐことができる。
【図面の簡単な説明】
【０００９】
【図１】本発明の実施の形態１における圧縮機の概略図
【図２】従来の密閉型圧縮機の概略図
【発明を実施するための形態】
【００１０】
以下、本発明の実施の形態について図面を参照しながら説明する。なお、この実施の形態によって本発明が限定されるものではない。
【００１１】
（実施の形態１）
図１は、本発明の実施の形態１における圧縮機の概略図を示すものである。密閉容器１の中には電動機部とその下側に圧縮機構部と冷凍機油２が収納されている。電動機部は固定子９と回転子８から構成されている。圧縮機構部はシリンダ４と前記シリンダ４の両端面に圧縮室を構成する主軸受３と副軸受５と前記圧縮室の内部で公転運動するピストン７と前記ピストン７に公転運動を与える前記回転子８と結合しているシャフト６から構成されている。さらに、密閉容器１には固定子９の上部空間と下部空間をつなぐバイパス管１０を備えている。
【００１２】
以上のように構成された密閉型圧縮機については、固定子９の上部空間の冷凍機油がバイパス管１０を通り固定子９の下部空間に流れることにより、圧縮機構部に冷凍機油が供給される。また固定子９の上部空間の冷凍機油の滞留を防ぐことができる。
【００１３】
また、本実施の形態のバイパス管の固定子上部空間側を、固定子端面直近に配置することにより、固定子上部の冷凍機油の滞留をより抑えることができる。
【００１４】
また、本実施の形態のバイパス管を複数本設けることにより、固定子上部の冷凍機油の滞留をより抑えることができる。
【産業上の利用可能性】
【００１５】
以上のように、本発明にかかる密閉型圧縮機は、圧縮機構部の摺動部の異常磨耗を防ぎ、かつ密閉型圧縮機からの冷凍機油の吐出の急増を防ぐことが可能となるので、冷蔵庫、除湿機、給湯機などのヒートポンプ応用機器の用途にも適用できる。
【符号の説明】
【００１６】
１  密閉容器
２  冷凍機油
３  主軸受
４  シリンダ
５  副軸受
６  シャフト
７  ピストン
８  回転子
９  固定子
１０  バイパス管
１１  バイパス管
【図１】
2012097568.tif 000003
【図２】
2012097568.tif 000004
(57)【要約】      （修正有）【課題】電動自転車は重量が増加し、殊に上り坂における手押し走行状態では親子づれ、老人、買い物帰り、病弱者等では負担が大きくなるのを改善する。【解決手段】フレーム１には、コントロールユニット２、バッテリ３、モータ４がそれぞれが設けられ、ハンドル５には運転モードを設定するための運転モード設定パネル６、手押し運転モードスイッチ７が設けられる。サドル８には、運転者が乗車しているか否かを判別する荷重センサ９が設けられ、また、ペダルを踏んでいるか否かを判別するペダルセンサ１０、車速を検出する車速センサ１１、ギャー段を検出するギャー位置センサ１２等が設けられ、各信号はコントロールユニット２に入力される。乗車していない状態または車速所定値以下等の手押し状態が判別されるときにはモータによる補助動力走行が行なえるようにした。【選択図】図１
2012030767.tif 000002
【特許請求の範囲】
【請求項１】
ペダルによる人力とモータとによる補助動力で走行する電動自転車において、ペダルを踏んでいない状態またはモータによる補助動力走行していない状態さらにまた車速所定値以下になった状態さらにまたは運転者が乗車していない状態といずれか一つ以上が判別されたときの手押し走行状態においてはモータによる補助動力走行を行なうことができるようにした事を特徴とする電動自転車。
【発明の詳細な説明】
【技術分野】
【０００１】  本発明は、人力とモータによる補助動力で走行する電動自転車に関するものである。
【背景技術】
【０００２】  電動自転車は、モータとバッデリおよびコントロールユニット等を積載するため、一般的な人力のみで走行する自転車よりも重量が増加する。
【発明の開示】
【発明が解決しようとする課題】
【０００３】  そのため、次のような問題点があった。
各市街地は開発によって、殊に駅周辺等では立体交差が進んで地下道または歩道橋等が大半を占め、それらは行政当局によって「自転車は降りて通行して下さい」という規制が多くなりつつある。
このため、親子づれ、老人、買い物帰り、病弱者等が手押し状態で上り坂を登るのには極度の体力の負担を生じている。
【問題を解決するための手段】
【０００４】  ペダルを踏んでいない状態またはモータによる補助動力走行していない状態さらにまた車速所定値以下になった状態さらにまたは運転者が乗車していない状態といずれか一つ以上が判別されたときの手押し走行状態においてはモータによる補助動力走行を行なうことができるようにする。以上を特徴とする電動自転車である。
【発明の効果】
【０００５】  手押し状態における上り坂運転時に、モータによる補助動力走行が実行できるので親子づれ、老人、買い物帰り、病弱者等の労力を軽くすることができる。
【発明を実施するための最良の形態】
【０００６】  以下、本発明の一実施例を図１で説明する。
フレーム１には、コントロールユニット２、バッテリ３、モータ４のそれぞれが設けられている。
ハンドル５には各運転モード（例えば、パワー、エコ、オートエコ等および本発明で実施するための手押し運転モード）等を設定するための運転モード設定パネル６、手押し運転モードスイッチ７が設けられ、これらの各信号はコントロールユニット２に入力される。
サドル８には、運転者が乗車しているか否かを判別する荷重センサ９が設けられ、この判別信号はコントロールユニット２に入力される。
また、ペダルを踏んでいるか否かを判別するペダルセンサ１０、車速を検出する車速センサ１１、ギャー段を検出するギャー位置センサ１２等の各信号もコントロールユニット２に入力される。【０００７】  図２は、手押し運転モード制御方法を示すフローチャート図である。
まず始めに、手押し運転モード設定パネル６で手押し速度を設定する。設定速度は一例として普通４Ｋｍ／ｈ、ゆっくり２Ｋｍ／ｈである。
次に、手押し運転モードスイッチ７がオンかオフかを判別し、オフのときにはリセットし、オンのときには次に、ペダルセンサ１０からペダル走行中か否かを判別し、ペダル走行中のときにはリセットし、ペダル走行中でないときには次に、荷重センサ９から荷重あるか否かを判別し、荷重があるときにはリセットし、荷重がないときには次には、車速センサ１１から実速度と設定速度とを比較し、実速度が等しいときおよび高いときにはリセットし、低いときには次に、ギャー位置センサ１２からギャー段位置を読み込み、次にギャー段位置、手押し運転モード設定速度からモータ回転数を算出して次にモータ４を出力制御する。
なお、角度センサを設けて上り傾斜のみで実行することも可能である。
【図面の簡単な説明】
【０００８】
【図１】  本発明における全体構成を示す一実施例図
【図２】  本発明における制御方法を説明するフローチャート図
【符号の説明】
【０００９】  １    フレーム
２    コントロールユニット
３    バッテリ
４    モータ
５    ハンドル
６    運転モード設定パネル
７    手押し運転モードスイッチ
８    サドル
９    荷重センサ
１０  ペダルセンサ
１１  車速センサ
１２  ギャー位置センサ
【図１】
2012030767.tif 000003
【図２】
2012030767.tif 000004
(57)【要約】      （修正有）【課題】太ももの付け根、臀部に使用され、長時間の睡眠による腰への負担を軽減することのできる尻枕の提供。【解決手段】硬質ウレタン素材からなる受け部１と軟質低反発素材からなる基台部２の異質素材からなり、受け部と基台部を接着させた２段形態とし、受け部は、使用者の太股の付根に接するように形成された湾曲部１ａ、１ｂと、臀部に接するように形成された湾曲部１ｃ、１ｄを有し湾曲面が連続し、基台部は、使用者の太股に接するように形成された湾曲部２ａ、２ｂと、臀部に接するように形成された湾曲部２ｃ、２ｄから構成される。【選択図】図１
2012030023.tif 000002
【特許請求の範囲】
【請求項１】
硬質ウレタン素材からなる受け部（１）と軟質低反発素材からなる基台部（２）で異質素材からなることを特徴とし、受け部（１）と基台部（２）を接着させ、２段形態の尻枕。
【請求項２】
受け部（１）は使用者の太股の付根に接するように形成された湾曲部（１ａ）（１ｂ）と、臀部に接するように形成された湾曲部（１ｃ）、（１ｄ）を有し湾曲面が連続している請求項１記載の尻枕。
【請求項３】
基台部（２）は使用者の太股に接するように形成された湾曲部（２ａ）、（２ｂ）と、臀部に接するように形成された湾曲部（２ｃ）、（２ｄ）からなる請求項１、請求項２記載の尻枕。
【発明の詳細な説明】
【技術分野】
【０００１】  本発明は、睡眠の際  寝具の上又は、リビングにおいて寛ぐ際に使用する尻枕に関するものである。
【背景技術】
【０００２】  睡眠をより快適にする為に、あらゆる寝具の素材が開発されている。
枕、抱き枕等、形も様々で多種多様な物が知られている。
【発明の概要】
【発明が解決しようとする課題】
【０００３】  睡眠の際、頭に枕、足に抱き枕など工夫がなされているが、臀部、太ももの付け根には、それらに関する物が殆ど無い。
又、尻枕が有っても硬く寝返りがうてない。
本発明は、太ももの付け根、臀部に使用する為になされた尻枕を提供する。
【課題を解決するための手段】
【０００４】  臀部が寝具に沈み込みを防ぐ為、太ももの付け根から臀部を軽く持ち上げる枕。又、寝返りを出来やすい構造にする。以上の構成よりなる尻枕。
【発明の効果】
【０００５】  長時間睡眠により腰への負担が有るが、本発明で、臀部、太ももの付け根を軽く持ち上げることにより、腰への負担が軽減し、自然な形の姿勢が保たれる。
【図面の簡単な説明】
【０００６】
【図１】本発明の斜視図
【図２】Ａ−Ａの断面図
【図３】Ｂ−Ｂの断面図
【図４】本発明の分解図
【図５】本発明の分解図（側面）
【図６】本発明の使用図（側面）
【発明を実施するための形態】
【０００７】  以下、本発明の実施の形態を図に沿って説明する。
硬質ウレタン素材からなる受け部（１）と軟質低反発素材からなる基台部（２）で異質素材からなることを特徴とする尻枕。
受け部（１）と基台部（２）を接着させ、２段形態の尻枕。
受け部（１）は使用者の太股の付根に接するように形成された湾曲部（１ａ）（１ｂ）と、臀部に接するように形成された湾曲部（１ｃ）、（１ｄ）を有し湾曲面が連続している。
基台部（２）は使用者の太股に接するように形成された湾曲部（２ａ）、（２ｂ）と、臀部に接するように形成された湾曲部（２ｃ）、（２ｄ）からなる。
大腿部側、臀部側の幅方向の断面形状は、基台部、受け部共に湾曲面が連続しており、固定接着されている。
基台部（２）の横幅は、４０〜６０ｃｍ程で規定は設けず、臀部の横幅より広く、寝返りを出来るような幅でなだらかな形状になる尻枕。
受け部（１）の横幅は、２０〜３０ｃｍ程で規定は設けず、基台部の横幅より大きくならない。
Ａ−Ａの断面形状は、略三角形となる。また、Ｂ−Ｂの断面形状は、略台形となり、上底は、太股に接する湾曲になる。
本発明は以上のような構造である。
【０００８】  本発明を使用するときは、湾曲部（１ａ）（１ｂ）に太股の付け根をのせ、湾曲部（１ｃ）（１ｄ）に臀部のせる。接地面（２ａ）（２ｃ）に太股をのせ、接地面（２ｃ）（２ｄ）に臀部をのせる。
【符号の説明】
【０００９】  １  受け部
１ａ、１ｂ、１ｃ、１ｄ  湾曲部
２  基台部
２ａ、２ｂ、２ｃ、２ｄ  接地面
Ａ−Ａ、Ｂ−Ｂ  断面部
【図１】
2012030023.tif 000003
【図２】
2012030023.tif 000004
【図３】
2012030023.tif 000005
【図４】
2012030023.tif 000006
【図５】
2012030023.tif 000007
【図６】
2012030023.tif 000008
(57)【要約】      （修正有）【課題】車イスに荷物や重量物等を使用者とその介護者の負担を強いることなく、安心して搭載できるようにする。【解決手段】車イス１の持つ、折りたたみ機構を損なうことなく、車イス１の肘掛部分の左から伸び、そのまま下方へと続いている構造材部分（以下、サイドフレーム）が地面に対して垂直もしくはそれに近い角度になった箇所に金属製固定具８，９を取付け、任意の角度に調節可能な多目的支柱３を取り付けて、課題の解決を図る。【選択図】図１
2012030021.tif 000002
【特許請求の範囲】
【請求項１】
車イスの左右、何れかの肘掛け部分付近に取り付けられた多目的支柱。
【請求項２】
任意操作によって現れる機構を有する請求項１に表記された多目的支柱。
【請求項３】
任意の角度に調節可能な補助具を有する請求項１〜２に表記された多目的支柱。
【発明の詳細な説明】
【技術分野】
【０００１】  本発明は、車イスに取り付け、当該使用者及び介護者の利便性を向上させる補助器具に関するものである。
【背景技術】
【０００２】  従来の車イス使用者は、その使用中、自身の荷物や鞄を持ち運ぶ際に、適切な置き場所がない為に、自らの体にかけたり、目の届かない、車イスの背後へかけていたりしていた。
【発明の開示】
【発明が解決しようとする課題】
【０００３】  荷物や鞄等を首にかけていると、それだけで身体的負荷が増加する。【０００４】  かといって車イスに搭載しようとすると、適切な搭載場所がないので、目の届かない後方にかけるより他ないというのが現状であり、それは、防犯上好ましくなく、しかも落とす可能性が増大する。【０００５】  また、介護者がいない場合、荷物を後方に搭載すると、それを取り出すのに、大変不便な状況に陥っていることが、想像に難くない。
【課題を解決するための手段】
【０００６】  そこで、車イスの左右、何れかの肘掛け部分付近に多目的支柱を取り付け、そこに鞄等の荷物を搭載できるように工夫したのが本発明である。【０００７】  また、それは、任意操作によって現れる機構を有しており、従来の車イス自身の折りたたみ機構を損なうことなく使用できる。【０００８】  さらに、それは、取り付けた鞄等から荷物を取り出し易いよう、任意の角度に調節可能な機構を有している。
【発明の効果】
【０００９】  本発明を取り付けることによって、使用者は、荷物を運ぶことによる、身体的負荷から開放され、荷物が常に目の届く範囲に安心して置けるようになる。【００１０】  さらに、介護者がいる場合でも、本発明にもたらされた利便性によって、例えば荷物の出し入れ等、使用者が容易に可能となるので、その負担が軽減される。【００１１】  鞄だけでなく、例えば飲料ホルダーを搭載すれば、利便性の向上と荷物から重量物を低減させる効果もある。
【図面の簡単な説明】
【００１２】
【図１】本発明の実施形態を示す、取り付け済み車イスの斜視図。
【図２】同じく、取り付け済み車イスの上面図
【図３】同じく、取り付け済み車イスを折りたたんだ状態の上面図
【発明を実施するための形態】
【実施例】
【００１３】  以下、本発明を具体化した実施形態を図面に基づいて説明する。【００１４】  車イス１の肘掛部分の左から伸び、そのまま下方へと続いている構造材部分（以下、サイドフレーム）が地面に対して垂直もしくはそれに近い角度になった箇所に、サイドフレームの直径より僅かに大きくした筒状の金属製固定具８（以下、固定具８）をボルト等で取り付ける。【００１５】  そこに筒状の金属製固定具９（以下、固定具９）を地面に対してほぼ水平に近い角度で外側に溶接、もしくはボルト等で固定する。【００１６】  固定具９に挿入されている丸パイプ１０には、片方にのみ、地面に対して垂直にした短い筒状の金属性固定具５（以下、固定具５）が溶接等によって固定されている。【００１７】  フック状の締め付け具７（以下、締め付け具７）の固定具９側の先端は、ネジが切られており、図のように固定具９の中腹付近に穴を開け、且つそこにナットが溶接されているという公知の手法によって丸パイプ１０を一時的に締め付け、固定できる。【００１８】  その構造により、丸パイプ１０は、その長さが許す限り、任意に前後の移動が可能になる。【００１９】  固定具５には、図のように、途中で９０度曲げられた支柱３（以下、支柱３）が挿入されている。【００２０】  フック状の締め付け具６（以下、締め付け具６）は、締め付け具７と同様の構造で構成されているので、支柱３の高さ及び回転による角度を自在に調節して固定できる。【００２１】  支柱３には、固定具５と同様の構造を持つ短い筒状の金属性固定具１１（以下、固定具１１）を挿入しており、それは、同じく、締め付け具７と同様の構造を持つ、フック状の締め付け具２（以下、締め付け具２）によって固定されている。【００２２】  そこに溶接等によってヘラ状の金属板４（以下、金属版４）を取り付け、固定する。【００２３】  金属板４は、回転及び、左右の移動が自在にでき、その形状を工夫することで、ドリンクホルダーや鞄の固定等、多目的に使用することができる。【００２４】  支柱３は、車イス１の使用中、図２の状態から、図３のように車イス１を折りたたんだ状態でも、固定具５を支点として外側に２７０度回転させれば、折りたたみ機構を損なうことなく、収納できる。【００２５】  そのことは、使用者の乗降の際にも、簡単な操作で、その動作を妨げることはない。【００２６】  締め付け具２によって固定具１１と共に金属板４は、左右の位置及び、その角度まで自在に調節でき、使用の目的に応じた最善の場所に固定できる。【００２７】  そのことは、締め付け具６及び同７も同様で、それらを合わせて、きめ細かな調節を可能にしている【００２８】本発明は、以上述べた実施例に限定されるものではない。
【符号の説明】
【００２９】１、車イス
２、締め付け具
３、支柱
４、金属板
５、固定具
６〜７、締め付け具
８〜９、固定具
１０、丸パイプ
１１、固定具
【図１】
2012030021.tif 000003
【図２】
2012030021.tif 000004
【図３】
2012030021.tif 000005
(57)【要約】      （修正有）【課題】夜に外でパラソルの中で食事をしようとしても，暗くて使えなくなるため，パラソルの内部にライトをつけて，夜でも楽しく食事が出来る電気照明付きパラソルを提供する。【解決手段】柱５の上部に照明外観を設け，内部にライトを設置し，ライトを点灯する時は，スイッチの紐を引いて行い，電源は建物のコンセントからとって，夜でも明るく使える事を特徴とする電気照明付きパラソル。【選択図】図１
2012030016.tif 000002
【特許請求の範囲】
【請求項１】
パラソルの柱（５）の上部に合成樹脂の照明外観（２）を設け，内部にライト（７）を設置し，ライトを点灯する時は，スイッチの紐を引いて行い，電源は建物のコンセントからとって，夜でも明るく使える電気照明付きパラソル。
【請求項２】
ライト（７）は，白熱灯，ハロゲン，ＬＥＤのいずれかである請求項１に記載された電気照明付きパラソル。
【発明の詳細な説明】
【技術分野】
【０００１】本発明は，屋外で夜の暗い所でもパラソルの中で食事や休憩が出来る電気照明付きパラソルに関するものである。
【背景技術】
【０００２】従来より，屋外で夜の暗い所では，パラソルの中にライトがなく，食事や飮み物を飲みながらゆっくり楽しむ事は出来なく大変不便な事が多かった。
【発明の開示】
【本発明が解決しようとする課題】
【０００３】これには，次のような欠点があった。
夜に屋外でパラソルの中で食事や休憩をする際，目の前にローソクを持ってきても風で火が消えたり火災の危険もあり，大変不便であった。
【課題を解決するための手段】
【０００４】本発明は，その欠点を解決する為に電源は母屋のコンセントにプラグを差し込んで使用する。
配線は，プラグから，パラソル本体の中心部の縦の柱（５）の空洞を利用し中に配線を巡らせ（２）の照明外観の中にあるライト（７）が点灯するようにした。
【本発明の効果】
【０００５】本発明は，以下の効果を有する。
１．パラソルに電球をセットして有るため，段取りに時間がかからない。
２．パラソルの中で食べ物を食べる時も，飲み物を飲む時も不便がなく楽しい時間が過ごせる。
【図面の簡単な説明】
【０００６】
【図１】使用斜視図
【図２】正面断面図
【図３】平面図
【図４】折りたたみ図
【図５】照明拡大内部説明図
【発明を実施するための最良の形態】
【０００７】本発明の実施形態について説明する。
本発明は，電源は母屋のコンセントにプラグを差し込んで使用する。配線は，プラグから，パラソル本体の中心部の縦の柱（５）の空洞を利用し中に配線を巡らせ（２）の照明外観の中にあるライト（７）が点灯する構造とした。
従って，電球を点灯させる時は，パラソルをセットして，防水プラグを母屋のコンセントに差し込み（８）のスイッチの紐を引くと点灯する。
【符号の説明】  １．パラソル本体
２．照明外観
３．パラソル最上部
４．テーブル
５．柱
６．配線コード
７．ライト
８．スイッチ紐
９．骨
１０．防水プラグ
【図１】
2012030016.tif 000003
【図２】
2012030016.tif 000004
【図３】
2012030016.tif 000005
【図４】
2012030016.tif 000006
【図５】
2012030016.tif 000007
(57)【要約】【課題】  顔・首の紫外線防止を主な目的として，スポーツや屋外作業等の激しい行動時にも，呼吸が困難とならず，吸汗・速乾性があり，汗によるムレを防止し，サラサラ快適感を保つ，スポーツマスクを提供する。【解決手段】  本格的なスポーツマスクとして，紫外線をカットし，サラっとした快適さが必要なため，素材には紫外線遮断繊維はもとより，汗を吸汗・速乾する機能を持つ繊維を使用する。また，マスクの形状はズレ防止と呼吸障害除去のため鼻の突起部分（３）と鼻筋（４）を設けるとともに，鼻孔の部分（１）に大きく穴を開ける。また，マスクの上部は目の形に添うように軽く曲線（６）をつける。さらに，激しい動きに対応するためには，口での呼吸が不可欠であり，口の部分（２）にも大きく穴を開ける。また，耳の周辺や首の部分（７）もカバーできる大きさを特徴とする。【選択図】図１
2012030020.tif 000002
【特許請求の範囲】
【請求項１】
マスクの大きさを，顔の部分だけでなく，耳周辺や首の部分（７）までも紫外線を防げる一体型の大きさとした。
【請求項２】
マスクには鼻の形状の突起部分（３）と鼻筋（４）を設けるとともに，鼻孔の部分と（１）口の部分（２）にも大きく穴を開ける。また，マスク上部は目の形に添うように軽く曲線（６）をつける。
【請求項３】
マスクの素材は紫外線遮断繊維および汗を吸汗・速乾する繊維を使用する。
【発明の詳細な説明】
【技術分野】
【０００１】  この発明は，顔・首の紫外線防止を主な目的として，スポーツや屋外作業等の激しい行動時にも，呼吸が困難とならず，吸汗・速乾性があり，汗によるムレを防止し，サラサラ快適感を保つ，スポーツマスクに関するものである。
【背景技術】
【０００２】  顔・首を紫外線から一体的・効果的に防御するマスクがなかった。
また，スポーツ等の時に呼吸困難を充分に克服するマスクがなかった。
さらに発汗によるベトベト感を払拭できるマスクがなく，マスクをはずさざるを得ない状況となっていた。
【先行技術文献】
【０００３】
【特許文献１】
【非特許文献１】  ▲１▼登録実用新案第３１４７０９９号  ▲２▼意匠登録第１３２３９１２号
【発明の概要】
【発明が解決しようとする課題】
【０００４】  これは，次のような欠点があった。
（イ）近年，オゾン層の破壊等により，紫外線が健康面・美容面に及ぼす悪影響は増大している。特にスポーツ等の屋外時には沢山の紫外線を浴びることとなり，これを防御するためにはマスクが最適であるが，本格的な対応マスクがなかった。
（ロ）スポーツや屋外作業等の激しい行動時には，呼吸と発汗対策は欠かせない要件であるが，現存するマスクでは，激しい呼吸に対応できるものは皆無であり，息苦しくてとても着用できるものではない。また，発汗によるムレは殆ど除去できておらず，しかも吸汗によりマスクが重くなることやマスクが動きズレが生じること，そして，呼気によるメガネやサングラスのクモリ等，マスクを付けることはスポーツ等での大きな障害となっており，着用は不可能となっていた。
（ハ）顔部分だけでなく首までカバーする一体型のマスクがなかった。
本発明は，以上のような欠点をなくすためになされたものである。
【課題を解決するための手段】
【０００５】  本格的なスポーツマスクとして，紫外線をカットし，吸汗・速乾・ドライ作用もあり，暑さにも強く，サラっと快適さが必要なため，素材には紫外線遮断繊維はもとより，汗を吸汗・速乾する機能を持つ繊維を使用する。
マスクの形状はズレ防止と呼吸障害除去のため鼻の形状の突起部分（３）と鼻筋（４）を設けるとともに，鼻孔の部分に大きく穴（１）を開ける。また，マスクの上部は目の形に添うように軽く曲線（６）をつける。
さらに，激しい動きに対応するには，鼻だけでなく，口での呼吸が不可欠であり，口の部分にも大きく穴（２）を開ける。また，耳の周辺や首の部分（７）もカバーできる大きさとする。
本発明は，以上の構成よりなる顔・首用スポーツマスクである。
【発明の効果】
【０００６】▲１▼顔から耳周辺や顎・首の部分までの広い範囲を紫外線から守り，日焼けを防ぎ，暑さにも強く，健康面・美容面に及ぼす悪影響を除去する。
▲２▼汗をすばやく吸い取り，乾かすことにより，ムレ・不快感を防止し，快適さを保つことができる。紫外線対策以外の目的でも使用できる。
▲３▼鼻と口に大きな穴を設けるため，呼吸障害を完全に克服できる。また，発声障害も解消でき，大声での発声や電話も可能となり，簡単な飲食等も可能となる。
▲４▼ズレ防止とムレ防止対策により，極めて激しい動きにも適応できる。
▲５▼ムレ防止と鼻・口の穴開けによりメガネ・サングラスがくもらない。
【図面の簡単な説明】
【０００７】
【図１】本発明の側面図である。
【図２】本発明の側面図（立体図・使用例）である。
【図３】本発明の斜視図である。
【図４】本発明の正面図（立体図・使用例）である。
【発明を実施するための形態】
【０００８】以下，本発明を実施するための形態について説明する。
▲１▼マスクの素材には紫外線遮断繊維はもとより，汗を吸汗・速乾する繊維を使用する。
▲２▼マスクは鼻の形状の突起部分（３）と鼻筋（４）を設けるとともに，鼻孔の部分（１）と口の部分（２）に大きく穴を開ける。また，マスクの上部は目の形に添うように軽く曲線（６）をつける。
▲３▼顔の部分だけでなく，耳周辺や顎の下・首の部分（７）も紫外線を防げる大きさとする。
本発明は，以上のような構造である。
【符号の説明】
【０００９】１      鼻呼吸用穴
２      口呼吸用穴
３      鼻突起部分
４      鼻筋
５      耳掛用穴
６      眼下曲線
７      首
【図１】
2012030020.tif 000003
【図２】
2012030020.tif 000004
【図３】
2012030020.tif 000005
【図４】
2012030020.tif 000006
(57)【要約】      （修正有）【課題】枕の高さ、硬さを調節でき、併せてストレッチができる枕を提供する。【解決手段】外カバー１、蕎麦殻等を充填する充填筒２、クッションカバー３、半割竹材４で構成し、充填筒の結び目をずらすことにより枕の高さと硬さを調整し、反転させて半割竹材が上になるようにして、首筋、肩、腰、アキレス腱等のストレッチを行う。【選択図】図１
2012165996.tif 000002
【特許請求の範囲】
【請求項１】
イ  外カバー  １  充填筒（蕎麦殻他）２  クッションカバー３  半割竹材４  を、組合せたストレッチ枕である。
ロ  外カバー  １  充填筒（蕎麦殻他）２  クッションカバー３  半割竹材４  からなる。
ハ  材質は、綿、自然素材。
【発明の詳細な説明】
【発明の詳細な説明】
【産業上の利用分野】
【０００１】この発明は枕とストレッチ機能を兼ね備えたストレッチ枕である。
【背景技術】
【０００２】従来の枕は就寝する為だけのものである。
枕の高さ、硬さの調整が難しくストレッチが出来る枕はなかった。
【発明が解決しようとする課題】
【０００３】そのため次のような欠点あった。
従来の枕は就寝する為だけのものである。
枕の高さ、硬さの調整が難しくストレッチが出来る枕はなかった。
本発明これらの欠点を解消するために、なされたものである
【課題を解決しようとする手段】
【０００４】  これを図面によって説明すれば
クッションカバー３、内に充填筒２、半割竹材４に外カバー１を被せて組合せたものである。
高さ、硬さも充填筒の結び目を解き、前（低く）後（高く）にずらし結び直せば充填物を出さずに、無段階で調整でき、簡単に好みの高さ、硬さが得られる。
反転させれば、半割竹材４が上になり首筋、肩、腰、脹脛、アキレス腱等を無理なくストレッチすることができる
本発明は以上の構成からなる一体型のストレッチ枕である。
【作用】
【０００５】外カバー１  充填筒２  クッションカバー３  半割竹材４からなる。
以上のような構造であるからこれを、枕とストレッチすることができる。
【実施例】
【０００６】以下、本発明実施例について説明する。
外カバー１  充填筒２  クッションカバー３  半割竹材４からなる。
以上のような構造であるからこれを、就寝するときは充填筒を上にしストレッチしたいときは反転させ半割竹材を上にして使用することができる
【発明の効果】
【０００７】以上述べた構成であるからストレッチ枕を使用すると、好みの高さ、硬さを調整でき無理のないストレッチができる。
【図面の簡単な説明】
【図１】本考案の平面図
【図２】本考案の断面図
【図３】本考案の斜視図
【符号の説明】１・・・外カバー
２・・・充填筒
３・・・クッションカバー
４・・・半割竹材
【図１】
2012165996.tif 000003
【図２】
2012165996.tif 000004
【図３】
2012165996.tif 000005
(57)【要約】【課題】  本発明は、就寝時及び寝転んでテレビを見る時等々、体を休める時のいかなる体勢であれ、後頭骨と第一頚椎が水平性を保てなくなる事と枕面に後頭骨が接触する事を解決するために、空気枕を基台として、空気枕及び／または発砲ゴムのクッションを楕円に丸めたものを二つ組み合わせ、その中と下に平型の空気枕及び／または発砲ゴムのクッションを入れ、後頭骨と第一頚椎が水平となり枕面に後頭骨が接触しないようにした枕。【解決手段】  基台の空気枕に、発砲ゴムのクッション及び／または空気枕を組み合わせ、空気圧を調整する事により可能になった。【選択図】図１
2012165997.tif 000002
【特許請求の範囲】
【請求項１】
本発明は、就寝時及び寝転んでテレビを見る時等々、体を休める時のいかなる体勢であれ、後頭骨と第一頚椎が水平性を保てなくなる事と枕面に後頭骨が接触する事を解決するために、空気枕を基台として、空気枕及び／または発砲ゴムのクッションを楕円に丸めたものを二つ組み合わせ、その中と下に平型の空気枕及び／または発砲ゴムのクッションを入れ、後頭骨と第一頚椎が水平となり枕面に後頭骨が接触しないようにした枕。
【請求項２】
請求項１記載の枕は、空気枕及び／または発砲ゴムである事を特徴とする。
【請求項３】
請求項１，２記載の枕は、左右の手足の長さを揃える事ができる。
【発明の詳細な説明】
【技術分野】
【０００１】  本発明は、寝具分野及び介護用品分野に属し、特に枕、クッションに関する。
【背景技術】
【０００２】  従来は、後頭骨と第一頚椎の水平性を保ち、枕面に後頭骨が接触することなく、寝るだけで左右の手足の長さが揃う枕はなかった。
【発明が解決しようとする課題】
【０００３】  人々が、就寝時や、うたた寝、ごろ寝時などに、頚椎の捻挫等々を起こす可能性があった。本発明は、この課題を解消するためになされたものである。
【課題を解決するための手段】
【０００４】  基台の空気枕に、発砲ゴムのクッション及び／または空気枕を組み合わせ、空気圧を調整する事により可能になった。
【発明の効果】
【０００５】  上記したように、本発明の枕で休む事により、頚椎捻挫等を防ぎ、左右の手足の長さが揃い、解剖学的肢位に体を整える事ができる。
【図面の簡単な説明】
【０００６】
【図１】  本枕の正面図である。
【図２】  本枕の側面図である。
【発明を実施するための形態】
【０００７】  本発明の具体的な実施の形態を、図面について説明すると、図１は、本発明の左右の手足の長さを揃える枕の、基本的な構造を示す正面図である。▲１▼は、円形または四角形状の空気圧を調整した空気枕で、中心部が空洞となっている。
【０００８】  ▲２▼は、かまぼこ型の発砲ゴム及び／または空気圧を調整した空気枕を楕円に丸めた物を二つ組み合わせた物である。
【０００９】  ▲３▼、▲４▼は、平型の発砲ゴム及び／または空気圧を調整した平型の空気枕。
【００１０】  ▲１▼の枕の上に▲２▼を置く。その時▲３▼を下に敷く。また、▲４▼を▲２▼の中に通して、▲３▼と▲４▼の端を接着し、さらに、▲３▼を▲１▼に接着する。
【００１１】  ▲２▼の中心に後頭隆起下を当てると、▲４▼は頭の重みで▲２▼を持ち上げ、基台の空気枕の空気圧の調整により、後頭骨と第一頚椎の水平性が保持され、左右の手足の長さが揃う。
【実施例】
【００１２】  すでに患者さんに施術しているが、どんな症状の患者さんも左右の手足の長さが揃う。
【産業上の利用可能性】
【００１３】  治療院等の施術の利便性が高まる。【００１４】  要介護者へのリハビリ時に使用する事により、解剖学的肢位により近づけやすくなる。
【符号の説明】
【００１５】  １  円形状もしくは四角形状の空気枕で、中央部に空洞があるもの
２  かまぼこ型の発砲ゴム及び／または空気圧を調整した空気枕を楕円に丸めた物を二つ組み合わせた物
３  平型の発砲ゴム及び／または空気圧を調整した平型の空気枕。
４  平型の発砲ゴム及び／または空気圧を調整した平型の空気枕。
【図１】
2012165997.tif 000003
【図２】
2012165997.tif 000004